(57)【要約】【課題】建物用ユニットへの建物用ユニット輸送治具の取付けを簡単に行うと共に建物用ユニットの輸送時の変形を抑制する。【解決手段】治具４０は、載置部４２と、第１立上部４４と、第２立上部４６と、引掛部４８とを有する。載置部４２は、Ｘ方向に延在され、荷台１８に載置されると共に桁梁２８が載置される。第１立上部４４は、載置部４２におけるＸ方向の一端部から立上げられ、桁梁２８のＸ方向の外側面２８Ｄと対向する。第２立上部４６は、載置部４２のＸ方向の他端部から立上げられ、桁梁２９のＸ方向の端面２９Ｅと対向する。引掛部４８は、第２立上部４６に設けられ、桁梁２９にＺ方向の上側から引掛けられることで桁梁２９のＸ方向の外側面２９Ｄと対向する。【選択図】図３
2019120025.tif 000002
【特許請求の範囲】
【請求項１】
それぞれ一方向に長尺とされ該一方向と交差する交差方向に間隔をあけて並ぶ第１構成部材及び第２構成部材と、前記一方向及び前記交差方向のそれぞれと直交する上下方向における前記第１構成部材の上部と前記第２構成部材の上部とに架設される架設部材と、を有する建物用ユニットを、輸送手段の荷台に載せて輸送するための建物用ユニット輸送治具であって、
前記交差方向に延在され、前記荷台に載置されると共に前記第１構成部材が載置される載置部と、
前記載置部における前記交差方向の一端部から立上げられ、前記第１構成部材の前記交差方向の第１外側面と対向する第１立上部と、
前記載置部の前記交差方向の他端部から立上げられ、前記第２構成部材の前記交差方向の内側面と対向する第２立上部と、
前記第２立上部に設けられ、前記第２構成部材に前記上下方向の上側から引掛けられることで前記第２構成部材の前記交差方向の第２外側面と対向する引掛部と、
を有する建物用ユニット輸送治具。
【請求項２】
前記第２立上部には、前記第２構成部材に向けて張出され前記第２構成部材の前記内側面と接触する接触部が設けられている請求項１に記載の建物用ユニット輸送治具。
【請求項３】
前記接触部は、前記上下方向の下側が上側よりも前記第２構成部材に近付くように傾斜された傾斜面を有する請求項２に記載の建物用ユニット輸送治具。
【請求項４】
前記第１立上部は、前記上下方向の下側が上側よりも前記第１構成部材に近付くように傾斜され前記第１外側面と接触する接触面を有する請求項１から請求項３のいずれか１項に記載の建物用ユニット輸送治具。
【発明の詳細な説明】
【技術分野】
【０００１】
本発明は、建物用ユニット輸送治具に関する。
【背景技術】
【０００２】
特許文献１には、屋根ユニットの輸送に用いる治具として、輸送前の屋根ユニットの２つの束にボルト、ナットにより締結固定され、建設現場にて取外される治具が開示されている。
【先行技術文献】
【特許文献】
【０００３】
【特許文献１】特開平５−１５６７１６号公報
【発明の概要】
【発明が解決しようとする課題】
【０００４】
それぞれ一方向に長尺とされ該一方向と交差する交差方向に並んだ第１構成部材及び第２構成部材に、架設部材が架設された建物用ユニットがある。この建物用ユニットを車両等の輸送手段の荷台に載せて輸送する場合に、特許文献１のように、第１構成部材及び第２構成部材にボルト、ナットを用いて治具を締結する構成では、ボルト、ナットを締結する手間がかかるので、治具の取付けを簡単に行えない。
【０００５】
一方、治具を用いない構成では、建物用ユニットを荷台に載せて輸送する場合に、建物用ユニットに振動が伝わることで、架設部材が第１構成部材及び第２構成部材を重力方向に押付ける状態となる。これにより、第１構成部材の下部及び第２構成部材の下部がそれぞれ外側に向けて移動する（建物用ユニットが変形する）可能性がある。
【０００６】
つまり、建物用ユニットへの建物用ユニット輸送治具の取付けを簡単に行うと共に建物用ユニットの輸送時の変形を抑制するには、改善の余地がある。
【０００７】
本発明は、建物用ユニットへの建物用ユニット輸送治具の取付けを簡単に行うと共に建物用ユニットの輸送時の変形を抑制することが目的である。
【課題を解決するための手段】
【０００８】
第１態様に係る建物用ユニット輸送治具は、それぞれ一方向に長尺とされ該一方向と交差する交差方向に間隔をあけて並ぶ第１構成部材及び第２構成部材と、前記一方向及び前記交差方向のそれぞれと直交する上下方向における前記第１構成部材の上部と前記第２構成部材の上部とに架設される架設部材と、を有する建物用ユニットを、輸送手段の荷台に載せて輸送するための建物用ユニット輸送治具であって、前記交差方向に延在され、前記荷台に載置されると共に前記第１構成部材が載置される載置部と、前記載置部における前記交差方向の一端部から立上げられ、前記第１構成部材の前記交差方向の第１外側面と対向する第１立上部と、前記載置部の前記交差方向の他端部から立上げられ、前記第２構成部材の前記交差方向の内側面と対向する第２立上部と、前記第２立上部に設けられ、前記第２構成部材に前記上下方向の上側から引掛けられることで前記第２構成部材の前記交差方向の第２外側面と対向する引掛部と、を有する。
【０００９】
第１態様に係る建物用ユニット輸送治具では、建物用ユニットを輸送手段の荷台に移動させるときに、第１立上部及び載置部が第１構成部材と第２構成部材との間に挿入され、引掛部が第２構成部材に上側から引掛けられる。そして、建物用ユニットが荷台に載置されたときに、載置部は、荷台に載置されると共に第１構成部材が載置される。第１立上部は、第１構成部材の第１外側面と対向する。第２立上部は、第２構成部材の内側面と対向する。引掛部は、第２構成部材の第２外側面と対向する。
【００１０】
輸送手段による建物用ユニットの輸送時において、建物用ユニットに振動が伝わることで、架設部材が第１構成部材及び第２構成部材を重力方向に押付ける状態となる。このときに、第１構成部材の下部及び第２構成部材の下部は連結されていないので、それぞれ外側に向けて移動する可能性がある。ここで、第１外側面が第１立上部と接触することで、第１構成部材の下部が外側へ移動することが規制される。さらに、第２構成部材の上部が第２立上部と接触することで、第２構成部材の回転が規制され、結果として、第２構成部材の下部が外側へ移動することが規制される。
【００１１】
このように、第１態様に係る建物用ユニット輸送治具では、建物用ユニットの第２構成部材に引掛部を引掛けるだけで、荷台に建物用ユニットが載置されたときに、建物用ユニットに建物用ユニット輸送治具が取付けられる。これにより、建物用ユニットへの建物用ユニット輸送治具の取付けを簡単に行うことができる。さらに、第１態様に係る建物用ユニット輸送治具では、輸送時に建物用ユニットが振動した場合に、第１構成部材及び第２構成部材の移動が第１立上部及び第２立上部により規制されるので、建物用ユニットの輸送時の変形を抑制することができる。
【００１２】
第２態様に係る建物用ユニット輸送治具の前記第２立上部には、前記第２構成部材に向けて張出され前記第２構成部材の前記内側面と接触する接触部が設けられている。
【００１３】
第２態様に係る建物用ユニット輸送治具では、建物用ユニットが荷台に載置されたときに、接触部が第２構成部材の内側面と接触する。このとき、引掛部が第２構成部材の第２外側面と接触する。つまり、第２構成部材が接触部と引掛部とで挟まれた状態となることで、第２構成部材の回転がさらに規制されるので、接触部が無い構成に比べて、第２構成部材の変形を抑制することができる。
【００１４】
第３態様に係る建物用ユニット輸送治具の前記接触部は、前記上下方向の下側が上側よりも前記第２構成部材に近付くように傾斜された傾斜面を有する。
【００１５】
第３態様に係る建物用ユニット輸送治具では、接触部の上側部分が第２立上部側に退避した構成となっているので、引掛部が第２構成部材に引掛けられるときに回転しても、この回転が接触部によって制限されるのを抑制することができる。
【００１６】
第４態様に係る建物用ユニット輸送治具の前記第１立上部は、前記上下方向の下側が上側よりも前記第１構成部材に近付くように傾斜され前記第１外側面と接触する接触面を有する。
【００１７】
第４態様に係る建物用ユニット輸送治具では、接触面の上側部分が第１立上部側に退避した構成となっているので、載置部が荷台に載置されるときに回転しても、この回転が第１構成部材と第１立上部との接触によって制限されるのを抑制することができる。
【発明の効果】
【００１８】
以上説明したように、本発明に係る建物用ユニット輸送治具では、建物用ユニットへの建物用ユニット輸送治具の取付けを簡単に行うと共に建物用ユニットの輸送時の変形を抑制することができる。
【図面の簡単な説明】
【００１９】
【図１】本実施形態に係るユニット建物に屋根ユニットが取付けられる状態を示した構成図である。
【図２】本実施形態に係る屋根ユニットの主要部を示す平面図である。
【図３】本実施形態に係る屋根ユニットに治具を取付けた状態を示す説明図である。
【図４】（Ａ）、（Ｂ）、（Ｃ）本実施形態に係る屋根ユニットに治具を取付ける作業工程を示す工程図である。
【図５】（Ａ）本実施形態に係る屋根ユニットに治具を取付けた状態を示す説明図であり、（Ｂ）本実施形態に係る屋根ユニット及び治具をワイヤで吊下げた状態を示す説明図であり、（Ｃ）本実施形態に係る屋根ユニット及び治具を荷台に載せた付けた状態を示す説明図である。
【図６】（Ａ）、（Ｂ）本実施形態に係る屋根ユニットに治具を取付ける作業工程を示す工程図である。
【図７】（Ａ）、（Ｂ）本実施形態に係る屋根ユニット及び治具を荷台に載せる作業工程を示す工程図である。
【図８】（Ａ）本実施形態に係る屋根ユニットを治具を用いずに輸送する前の状態を示す説明図であり、（Ｂ）本実施形態に係る屋根ユニットを治具を用いずに輸送しているときの桁梁及び小梁の状態を示す説明図である。
【図９】本実施形態の第１変形例に係る屋根ユニット及び治具を示す説明図である。
【図１０】本実施形態の第２変形例に係る屋根ユニット及び治具を示す説明図である。
【発明を実施するための形態】
【００２０】
本実施形態に係る建物用ユニット輸送治具の一例について説明する。
【００２１】
〔全体構成〕
図１には、本実施形態の建物の一例としてのユニット建物１０が示されている。ユニット建物１０は、一例として、図示しない複数の建物ユニットと、屋根ユニット２０とを含んで構成されており、これらが建設現場の図示しない基礎上で連結されることで構築されている。なお、屋根ユニット２０は、図示しないクレーンで吊上げられ、ユニット建物１０の一部に形成された開口部１２を塞ぐように配設される。
【００２２】
屋根ユニット２０は、建物用ユニットの一例である。また、屋根ユニット２０は、基部２２（図２参照）と、基部２２の外周部分に直立するパラペット２４と、床部を形成する面材２６とを含んで構成されている。
【００２３】
図２に示すように、基部２２は、一例として、桁梁２８及び桁梁２９と、妻梁３２及び妻梁３３と、３本の小梁３４と、６つのブラケット３６とを有する。なお、以後の説明では、屋根ユニット２０について、桁方向をＹ方向、妻方向をＸ方向、上下方向（高さ方向）をＺ方向と称する。Ｘ方向、Ｙ方向及びＺ方向は、互いに直交（交差）する。
【００２４】
図３に示すように、桁梁２８は、第１構成部材の一例であり、Ｙ方向に長尺とされている（延在されている）。Ｙ方向は、一方向の一例である。また、桁梁２８は、Ｙ方向と交差する断面形状がＵ字形のチャンネル鋼で構成されている。具体的には、桁梁２８は、Ｚ方向に沿って直立するウェブ２８Ａと、ウェブ２８Ａの下端部からＸ方向に張出された下フランジ２８Ｂと、ウェブ２８Ａの上端部からＸ方向に張出された上フランジ２８Ｃとを有する。上フランジ２８Ｃには、Ｚ方向に貫通する図示しない貫通孔が形成されている。ウェブ２８ＡにおけるＸ方向の外側（桁梁２９側とは反対側）の面を第１外側面の一例としての外側面２８Ｄと称する。
【００２５】
桁梁２９は、第２構成部材の一例であり、Ｙ方向に長尺とされている（延在されている）。また、桁梁２９は、桁梁２８とＸ方向に間隔をあけて、桁梁２８と同じ高さで並んでいる。Ｘ方向は、交差方向の一例である。さらに、桁梁２９は、Ｙ方向と交差する断面形状がＵ字形のチャンネル鋼で構成されている。具体的には、桁梁２９は、Ｚ方向に沿って直立するウェブ２９Ａと、ウェブ２９Ａの下端部から桁梁２８に向けてＸ方向に張出された下フランジ２９Ｂと、ウェブ２９Ａの上端部から桁梁２８に向けてＸ方向に張出された上フランジ２９Ｃとを有する。上フランジ２９Ｃには、Ｚ方向に貫通する図示しない貫通孔が形成されている。
【００２６】
ウェブ２９ＡにおけるＸ方向の外側（桁梁２８側とは反対側）の面を第２外側面の一例としての外側面２９Ｄと称する。また、下フランジ２９ＢにおけるＸ方向の内側（桁梁２８と対向する側）の端面を内側面の一例としての端面２９Ｅと称する。なお、桁梁２８の寸法と桁梁２９の寸法とは、ほぼ同じ寸法とされている。
【００２７】
ここで、ウェブ２８ＡのＺ方向の高さをＨ１とし、下フランジ２８Ｂ及び上フランジ２８Ｃのそれぞれのウェブ２８Ａからの張出し長さをＬ１とする。また、ウェブ２９ＡのＺ方向の高さをＨ２とし、下フランジ２９Ｂ及び上フランジ２９Ｃのそれぞれのウェブ２９Ａからの張出し長さをＬ２とする。本実施形態では、一例として、Ｈ１＝Ｈ２、Ｌ１＝Ｌ２に設定されている。さらに、桁梁２８と桁梁２９とのＸ方向の間隔の長さをＬＡとする。図３では、長さＬＡが、上フランジ２８ＣのＸ方向の内側端面と、上フランジ２９ＣのＸ方向の内側端面との間隔として示されている。
【００２８】
図２に示すように、妻梁３２及び妻梁３３は、それぞれＸ方向に長尺とされている。また、妻梁３２及び妻梁３３は、Ｘ方向と交差する断面形状がＵ字形のチャンネル鋼で構成されている。妻梁３２は、一例として、桁梁２８のＹ方向の一端部と、桁梁２９のＹ方向の一端部とに溶接により接合されている。妻梁３３は、一例として、桁梁２８のＹ方向の他端部と、桁梁２９のＹ方向の他端部とに溶接により接合されている。つまり、桁梁２８、２９及び妻梁３２、３３は、平面視で全体が矩形枠状に形成されている。
【００２９】
小梁３４は、架設部材の一例であり、Ｘ方向に長尺の角筒で構成されている。また、小梁３４は、桁梁２８のＺ方向の上部と、桁梁２９のＺ方向の上部とに架設されている。なお、上部とは、部材のＺ方向の中央に対して上側に位置する部位を意味する。
【００３０】
図８（Ａ）に示すように、ブラケット３６は、一例として、１枚の板材を直角に屈曲させた構成とされており、Ｙ方向から見た場合にＬ字状に形成されている。また、ブラケット３６は、Ｘ方向に沿った底部３６Ａと、底部３６Ａの一端からＺ方向に直立する直立部３６Ｂとを有する。直立部３６Ｂは、小梁３４の端部に溶接により固定されている。底部３６Ａには、図示しない貫通孔がＺ方向を軸方向として形成されている。そして、底部３６Ａは、ボルト３７及びナット３９を用いて、上フランジ２８Ｃに上側から重ねられて締結されている。なお、図示を省略するが、小梁３４の他端側のブラケット３６は、上フランジ２９Ｃ（図３参照）に上側から重ねられて締結されている。これにより、図２に示すように、小梁３４は、桁梁２８のＺ方向の上部と、桁梁２９のＺ方向の上部とに架設されている。
【００３１】
図２に示すように、上フランジ２８Ｃ及び上フランジ２９Ｃには、一例として、それぞれ２箇所に吊金具３１が取付けられるようになっている。４つの吊金具３１には、４本のワイヤ３５の一端部が引掛けられる。そして、４本のワイヤ３５の他端部が束ねられてクレーン１９（図５（Ｂ）参照）により引上げられることで、屋根ユニット２０が吊下げられるようになっている。なお、屋根ユニット２０が吊下げられるときには、面材２６（図１参照）は取付けられていない。言い換えると、面材２６が取付けられていない状態では、屋根ユニット２０の基部２２には、桁梁２８、２９及び小梁３４で囲まれた複数の空間部２３が形成されている。空間部２３には、後述する建物用ユニット輸送治具の一例としての治具４０が挿入されるようになっている。空間部２３のＹ方向の間隔（対向する２つの小梁３４のＹ方向の間隔）の長さをＬＢとする。
【００３２】
〔要部構成〕
次に、治具４０について説明する。
【００３３】
図５（Ｃ）に示す治具４０は、屋根ユニット２０を輸送手段の一例としての車両１６の荷台１８に載せて輸送するために用いられる。なお、荷台１８の上面は、ほぼ水平面（Ｘ−Ｙ面）に沿っているものとする。
【００３４】
図３に示すように、治具４０は、載置部４２と、第１立上部４４と、第２立上部４６と、引掛部４８とを有する。治具４０の形状は、一例として、Ｘ方向を長手方向としＹ方向を短手方向とする矩形状の鉄板を、Ｘ方向の４箇所でほぼ直角に折曲げた形状とされている。言い換えると、治具４０の形状は、Ｙ方向から見た場合に略Ｓ字状とされている。
【００３５】
＜載置部＞
載置部４２は、一例として、Ｚ方向から見た場合にＸ方向を長手方向としＹ方向を短手方向とする（Ｚ方向を厚さ方向とする）矩形状に形成されている。つまり、載置部４２は、Ｘ方向に延在されている。また、載置部４２は、荷台１８上にＺ方向を厚さ方向として載置されている。載置部４２のＺ方向の上面及び下面は、Ｘ−Ｙ面に沿った平面とされている。
【００３６】
載置部４２のＸ方向の長さＬ３、Ｙ方向の長さＬ４とする。本実施形態では、長さＬ３が、既述の長さＬＡ、Ｌ１に対して、Ｌ３＞ＬＡ＋Ｌ１となるように設定されている。また、長さＬ４が、既述の長さＬＢ（図２参照）に対して、Ｌ４＜ＬＢとなるように設定されている。載置部４２のＸ方向中央に対する桁梁２８側の上面には、桁梁２８の下フランジ２８Ｂが載置されている。なお、載置部４２の厚さをｄとする。
【００３７】
＜第１立上部＞
第１立上部４４は、載置部４２におけるＸ方向の一端部（桁梁２８が載置される側の端部）からＺ方向に立上げられた部位である。また、第１立上部４４は、一例として、板部５２と、３つのリブ５３とを有する。
【００３８】
板部５２は、Ｘ方向を厚さ方向として配置されている。また、板部５２は、Ｘ方向から見た場合にＹ方向を長手方向としＺ方向を短手方向とする矩形状に形成されている。板部５２のＸ方向の内側（桁梁２８と対向する側）の側面及び外側（桁梁２８とは対向しない側）の側面は、いずれもＹ−Ｚ面に沿った平面とされている。板部５２の厚さは、載置部４２の厚さｄとほぼ同じ厚さに設定されている。板部５２のＺ方向の高さをＨ３とする。高さＨ３は、一例として、既述の高さＨ１に対して、（Ｈ１）／２＞Ｈ３となるように設定されている。板部５２のＹ方向の長さは、一例として、Ｌ４とされている。
【００３９】
載置部４２の上面に桁梁２８が載置された状態において、板部５２は、外側面２８Ｄに対して、Ｘ方向の外側（下フランジ２８Ｂ及び上フランジ２８Ｃ側とは反対側）に配置されている。なお、載置部４２の上面に桁梁２８が載置された状態とは、屋根ユニット２０に治具４０が取付けられた状態を意味する。以後、屋根ユニット２０に治具４０が取付けられた状態を載置状態と称する。載置状態において、Ｙ方向から見た場合に、外側面２８Ｄと板部５２とは、ほぼ平行に配置されている。
【００４０】
３つのリブ５３は、一例として、板部５２のＹ方向の両端部と中央部にそれぞれ１箇所ずつ形成されている。具体的には、リブ５３は、板部５２の桁梁２８側の側面と載置部４２の上面とを繋いでいる。また、リブ５３は、Ｙ方向を厚さ方向とする板状に形成されている。さらに、リブ５３は、Ｙ方向から見た場合に直角三角形状に形成されている。この直角三角形の斜辺に相当する部位には、接触面５６が形成されている。言い換えると、第１立上部４４は、接触面５６を有する。
【００４１】
接触面５６は、板部５２のＺ方向の上端部から載置部４２の上面に向けて延びている。また、接触面５６は、Ｙ方向から見た場合に、Ｚ方向の下側が上側よりも桁梁２８（外側面２８Ｄ）に近付くように傾斜されている。ここで、載置状態において、接触面５６のＺ方向の下端部は、外側面２８ＤのＺ方向の下端部と接触している。言い換えると、第１立上部４４は、載置状態において、外側面２８ＤとＸ方向に対向し、さらに、外側面２８Ｄと接触するように構成されている。
【００４２】
＜第２立上部＞
第２立上部４６は、載置部４２におけるＸ方向の他端部（桁梁２９側の端部）からＺ方向に立上げられた板状部で構成されている。第１立上部４６のＺ方向の下端部には、一例として、３つの接触部５８が設けられている。なお、第１立上部４６に接触部５８が設けられることとは、第１立上部４６に対して別体の接触部５８が固定されることと、第１立上部４６に接触部５８が一体で形成されることとを含む。
【００４３】
既述の載置状態において、第２立上部４６は、桁梁２９に対してＸ方向の内側（空間部２３側）に配置される。そして、第２立上部４６は、下フランジ２９Ｂ及び上フランジ２９ＣとＸ方向に対向する。具体的には、第２立上部４６は、下フランジ２９Ｂの端面２９Ｅ及び上フランジ２９Ｃの端面２９ＦとＸ方向に対向する。なお、Ｙ方向から見た場合に、第２立上部４６とウェブ２９Ａとは、ほぼ平行に配置されている。
【００４４】
また、第２立上部４６は、Ｘ方向から見た場合にＹ方向を長手方向としＺ方向を短手方向とする矩形状に形成されている。第２立上部４６のＸ方向の外側（桁梁２９と対向する側）の側面及び内側（桁梁２９とは対向しない側）の側面は、いずれもＹ−Ｚ面に沿った平面とされている。第２立上部４６のＸ方向の厚さは、載置部４２の厚さｄとほぼ同じ厚さに設定されている。第２立上部４６のＺ方向の高さをＨ４とする。高さＨ４は、既述の高さＨ２に対して、Ｈ４＞Ｈ２となるように設定されている。第２立上部４６のＹ方向の長さは、一例として、Ｌ４とされている。
【００４５】
（接触部）
３つの接触部５８は、一例として、第２立上部４６のＹ方向の両端部と中央部にそれぞれ１箇所ずつ設けられている。具体的には、接触部５８は、一例として、Ｙ方向から見た場合に台形状でかつＹ方向を厚さ方向とする板状に形成されている。接触部５８における台形の下底に相当する部位は、第２立上部４６のＸ方向の外側面におけるＺ方向の下端部に溶接されている。接触部５８のＺ方向の高さをＨ５とする。高さＨ５は、一例として、リブ５３の高さＨ３と同程度の高さとされている。言い換えると、高さＨ５は、一例として、（Ｈ２）／２＞Ｈ５となるように設定されている。また、接触部５８は、傾斜面６２と、規制面６４とを有する。
【００４６】
傾斜面６２は、Ｙ方向から見た場合に、接触部５８の台形の斜辺に相当する部位に形成されている。具体的には、傾斜面６２は、Ｙ方向から見た場合に、第２立上部４６から下フランジ２９Ｂに向けて延びており、Ｚ方向の下側が上側よりも桁梁２９（端面２９Ｅ）に近付くように傾斜されている。
【００４７】
規制面６４は、Ｙ方向から見た場合に、接触部５８の台形の上底に相当する部位に形成されている。具体的には、規制面６４は、Ｙ方向から見た場合に、傾斜面６２のＺ方向の下端からＺ方向に沿って下側へ延びる平面で構成されている。規制面６４のＺ方向の高さは、一例として、下フランジ２９ＢのＺ方向の厚さに相当する高さよりも高い。
【００４８】
第２立上部４６の外側面から規制面６４までのＸ方向の長さ（接触部５８の張出し長さ）は、既述の載置状態において、規制面６４と端面２９Ｅとが接触する長さに設定されている。このように、接触部５８は、第２立上部４６から桁梁２９に向けて張出されている。そして、接触部５８は、既述の載置状態において、端面２９Ｅと規制面６４とがＸ方向に対向し、さらに、端面２９Ｅと規制面６４とが接触することで、桁梁２９の第２立上部４６側への移動を規制するように構成されている。なお、接触部５８におけるＸ方向の長さが最も長い部位は、第２立上部４６から規制面６４までの長さＬ５の部位である。
【００４９】
＜引掛部＞
引掛部４８は、一例として、第２立上部４６のＺ方向の上端部に第２立上部４６に連続して設けられている。具体的には、引掛部４８は、上壁部４９と、縦壁部５１とを有する。また、引掛部４８は、Ｙ方向から見た場合の形状がＬ字状とされている。
【００５０】
上壁部４９は、第２立上部４６のＺ方向の上端から第２立上部４６に対して桁梁２９側（接触部５８が設けられた側）に、Ｘ方向に沿って板状に延びている。また、上壁部４９は、Ｚ方向から見た場合に、Ｙ方向を長手方向としＸ方向を短手方向とする矩形状に形成されている。上壁部４９のＺ方向の上面及び下面は、いずれもＸ−Ｙ面に沿った平面とされている。さらに、上壁部４９は、既述の載置状態において、桁梁２９の上フランジ２９Ｃに対してＺ方向の上側に配置されている。
【００５１】
上壁部４９のＺ方向の厚さは、載置部４２の厚さｄとほぼ同じ厚さに設定されている。上壁部４９のＹ方向の長さは、一例として、Ｌ４とされている。また、上壁部４９のＸ方向の長さをＬ６とする。長さＬ６は、既述の長さＬ２に対して、Ｌ６＞Ｌ２となるように設定されている。さらに、長さＬ６は、一例として、Ｌ６＝Ｌ２＋Ｌ５＋２×ｄに設定されている。
【００５２】
縦壁部５１は、上壁部４９のＸ方向における第２立上部４６側とは反対側の端からＺ方向の下側に向けて、Ｚ方向に沿って板状に延びている。また、縦壁部５１は、Ｘ方向から見た場合に、Ｙ方向を長手方向としＺ方向を短手方向とする矩形状に形成されている。縦壁部５１のＸ方向の両側面は、Ｙ−Ｚ面に沿った平面とされている。加えて、縦壁部５１は、既述の載置状態において、桁梁２９の外側面２９Ｄに対してＸ方向に対向し、さらに、外側面２９Ｄに対してＸ方向の外側から接触している。
【００５３】
縦壁部５１のＸ方向の厚さは、載置部４２の厚さｄとほぼ同じ厚さに設定されている。縦壁部５１のＹ方向の長さは、一例として、Ｌ４とされている。また、縦壁部５１のＺ方向の高さをＨ６とする。高さＨ６は、一例として、Ｈ６＜（Ｈ４−Ｈ５）となるように設定されている。
【００５４】
引掛部４８は、桁梁２９に対してＺ方向の上側から引掛けられた場合に、桁梁２９の上フランジ２９Ｃ及び外側面２９Ｄと接触するようになっている。また、引掛部４８は、既述の載置状態において、縦壁部５１におけるＺ方向の中央よりも下側の部位が、外側面２９ＤのＺ方向の中央よりも上側の部位と接触するようになっている。
【００５５】
治具４０では、載置部４２のＸ方向中央に対して、引掛部４８側の部位の質量が第１立上部４４側の部位の質量よりも大きくなっている。つまり、治具４０を載置部４２の中央を基準として吊上げた場合には、治具４０は、水平面（Ｘ−Ｙ面）に対して引掛部４８側に傾くようになっている。
【００５６】
〔比較例における屋根ユニットの輸送〕
図８（Ａ）に示すように、屋根ユニット２０の輸送において治具４０（図３参照）を用いない構成を比較例とする。図８（Ａ）、（Ｂ）では、小梁３４上に面材２６を配置した状態が示されているが、実際の輸送時には面材２６は取外されている。屋根ユニット２０の桁梁２８は、荷台１８上に載置されている。なお、図８（Ａ）、（Ｂ）では、桁梁２８側のみが示されているが、桁梁２９（図３参照）側は同様の構成であるため、図示及び説明を省略する。
【００５７】
図８（Ｂ）に示すように、比較例において、屋根ユニット２０の輸送時には、車両１６の振動が荷台１８を介して屋根ユニット２０に伝わることで、小梁３４がＺ方向（重力方向であり上下方向）に振動する。このとき、小梁３４が桁梁２８をＺ方向の下側へ押付ける状態となる。そして、ブラケット３６の屈曲部分がこの押付力に耐え切れなくなって変形した場合には、桁梁２８のＺ方向の下部は、他の部材に連結されていないので、Ｘ方向の外側に向けて移動（変位）することになる。このように、比較例では、輸送時に屋根ユニット２０が変形し易くなる。
【００５８】
〔作用〕
次に、本実施形態の治具４０の作用について説明する。
【００５９】
＜荷台への屋根ユニットの載置＞
図４（Ａ）及び図６（Ａ）に示すように、屋根ユニット２０の桁梁２８と桁梁２９との間の空間部２３に、治具４０の第１立上部４４及び載置部４２が、第１立上部４４、載置部４２の順で挿入される。そして、第１立上部４４は、桁梁２８の下側に配置される。桁梁２８及び桁梁２９は、図示しない支持部材によって支持されることで、予め地面に対して上側に配置されている。また、治具４０は、図示しないクレーンによって吊下げられている。なお、屋根ユニット２０の輸送では、一例として、２つの治具４０（図２参照）が用いられるが、２つの治具４０は同様の構成である。このため、一方の治具４０について説明し、他方の治具４０の説明を省略する。
【００６０】
続いて、図４（Ｂ）及び図４（Ｃ）に示すように、第１立上部４４が上がり、第２立上部４６及び引掛部４８が下がるように、治具４０が回転される。これにより、図５（Ａ）及び図６（Ｂ）に示すように、載置部４２の上面と下フランジ２８Ｂとが接触し、接触面５６の下部が外側面２８Ｄと接触する。また、図６（Ｂ）に示すように、接触部５８（規制面６４）が端面２９Ｅと接触し、縦壁部５１が外側面２９Ｄと接触する。なお、治具４０は、このときに、図示しない支持部材により支持されている。また、治具４０の上壁部４９は、上フランジ２９Ｃに対して上側に離れて配置される。
【００６１】
続いて、図５（Ｂ）に示すように、桁梁２８及び桁梁２９に吊金具３１が取付けられる。吊金具３１には、ワイヤ３５の一端部が引掛けられる。そして、ワイヤ３５の他端部が束ねられてクレーン１９により引上げられることで、屋根ユニット２０が宙吊りの状態となる。このとき、図７（Ａ）に示すように、上壁部４９が上フランジ２９Ｃと接触することで、引掛部４８が桁梁２９に上側から引掛けられる。なお、図５（Ｂ）及び図７（Ａ）では、引掛部４８が桁梁２９に引掛けられたときに、一例として、接触面５６の下部が外側面２８Ｄの下部と接触した状態が示されているが、このときに接触面５６が外側面２８Ｄから離れていてもよい。
【００６２】
続いて、図５（Ｃ）に示すように、車両１６の荷台１８上に屋根ユニット２０が載置される。なお、図５（Ｃ）では、クレーン１９、吊金具３１及びワイヤ３５（いずれも図５（Ｂ）参照）を除いた状態が示されている。
【００６３】
図７（Ｂ）に示すように、荷台１８上に屋根ユニット２０の載置部４２が載置された状態では、載置部４２上に桁梁２８が載置され、接触面５６の下部が外側面２８Ｄの下部と接触する。さらに、接触部５８の規制面６４が端面２９Ｅと接触し、縦壁部５１が外側面２９Ｄと接触する。そして、屋根ユニット２０は、この載置状態で車両１６により、建設現場へ輸送される。
【００６４】
＜屋根ユニットの輸送時＞
図７（Ｂ）に示す屋根ユニット２０の輸送時（輸送途中）において、屋根ユニット２０には、車両１６の本体から荷台１８を介してＺ方向の振動が伝わる。このとき、既述の比較例のように、桁梁２８の下部及び桁梁２９の下部が、それぞれ外側に向けて移動（変位）する可能性がある。
【００６５】
ここで、外側面２８Ｄが第１立上部４４の接触面５６と接触することで、桁梁２８の下部が外側へ移動することが規制される。さらに、桁梁２９の上部が第２立上部４６と接触することで桁梁２９の回転が規制され、桁梁２９の下部が外側へ移動することが規制される。また、桁梁２９のＸ方向外側への移動は、引掛部４８の縦壁部５１との接触により規制される。加えて、桁梁２９のＸ方向内側（桁梁２８に向かう側）への移動は、端面２９Ｅと規制面６４との接触により規制される。このように、治具４０を用いることで、桁梁２８及び桁梁２９の移動（変位）が抑制されるので、屋根ユニット２０の輸送時の変形を抑制することができる。
【００６６】
図１に示すように、ユニット建物１０の建設現場では、屋根ユニット２０は、荷台１８（図７（Ｂ）参照）から図示しないクレーンにより引上げられ、開口部１２の周縁部に下されて固定される。このようにして、ユニット建物１０に屋根ユニット２０が設けられる。
【００６７】
以上、説明したように、治具４０を用いた屋根ユニット２０の輸送では、屋根ユニット２０の桁梁２９に引掛部４８を引掛けるだけで、荷台１８に屋根ユニット２０が載置されたときに、屋根ユニット２０に治具４０が取付けられる。これにより、例えば、桁梁２８と桁梁２９とをボルト及びナットを用いて連結する構成に比べて、屋根ユニット２０への治具４０の取付けを簡単に行うことができる。さらに、治具４０を用いた屋根ユニット２０の輸送では、輸送時に屋根ユニット２０が振動した場合に、桁梁２８及び桁梁２９のＸ方向の移動が第１立上部４４及び第２立上部４６により規制される。これにより、治具４０を用いた屋根ユニット２０の輸送では、既述の比較例に比べて、屋根ユニット２０の輸送時の変形を抑制することができる。
【００６８】
また、治具４０では、屋根ユニット２０が荷台１８に載置されたときに、接触部５８が桁梁２９の端面２９Ｅと接触する。このとき、引掛部４８の縦壁部５１が外側面２９Ｄと接触する。つまり、桁梁２９が接触部５８と引掛部４８とで挟まれた状態となることで、輸送時の桁梁２９の回転がさらに規制されるので、接触部５８が無い構成に比べて、桁梁２９の変形を抑制することができる。
【００６９】
さらに、治具４０では、接触部５８のＺ方向の上側部分が桁梁２９に対して第２立上部４６側に退避した構成となっているので、引掛部４８が桁梁２９に引掛けられるときに回転しても、桁梁２９と接触部５８とが接触し難い。つまり、桁梁２９に引掛けられるときの引掛部４８の回転が、接触部５８によって制限されるのを抑制することができる。そして、引掛部４８の回転が接触部５８によって制限され難くなることにより、縦壁部５１と外側面２９Ｄとの接触面積が、予め設定した接触面積よりも小さくなるのを抑制することができる。
【００７０】
加えて、治具４０では、接触面５６の上側部分が第１立上部４４側に退避した（傾斜した）構成となっている。このため、載置部４２が荷台１８に載置されるときに、第１立上部４４が上がる方向に載置部４２が回転した場合に、回転初期から桁梁２８と第１立上部４４とが接触し難くなる。これにより、載置部４２が水平状態（Ｘ−Ｙ面に沿った状態）となるまでの回転が、桁梁２８と第１立上部４４との接触によって制限されるのを抑制することができる。
【００７１】
なお、本発明は上記の実施形態に限定されない。
【００７２】
＜第１変形例＞
図９には、第１変形例としての治具７０と、屋根ユニット８０とが示されている。なお、前記の実施形態と基本的に同一の部材、部位には、前記の実施形態と同一の符号を付与してその説明を省略する。治具７０は、建物用ユニット輸送治具の一例である。屋根ユニット８０は、建物用ユニットの一例である。
【００７３】
屋根ユニット８０は、屋根ユニット２０（図２参照）において、桁梁２９のＺ方向の高さが、桁梁２８のＺ方向の高さよりも高い構成とされている。そして、妻梁３２、３３（図２参照）が斜めに配置されている。
【００７４】
治具７０は、載置部４２と、第１立上部４４と、第２立上部７２と、引掛部４８とを有する。第２立上部７２は、載置部４２におけるＸ方向の他端部（桁梁２９側の端部）からＺ方向に立上げられた板状部で構成されている。第１立上部７２のＺ方向の下端部には、Ｙ方向に間隔をあけて複数の接触部７４が設けられている。治具７０の載置状態において、第２立上部７２は、桁梁２９に対してＸ方向の内側に配置される。そして、第２立上部７２は、下フランジ２９Ｂ及び上フランジ２９ＣとＸ方向に対向する。また、第２立上部７２は、Ｘ方向から見た場合にＹ方向を長手方向としＺ方向を短手方向とする矩形状に形成されている。
【００７５】
接触部７４は、一例として、Ｙ方向から見た場合に台形状でかつＹ方向を厚さ方向とする板状に形成されている。接触部７４における台形の下底に相当する部位は、第２立上部７２のＸ方向の外側面におけるＺ方向の中央部及び下端部に溶接されている。接触部７４のＺ方向上端の高さは、載置部４２の下面から下フランジ２９Ｂの下面までの高さよりも高く、載置部４２の下面から上フランジ２９Ｃの下面までの高さよりも低い。また、接触部７４は、傾斜面７６を有する。
【００７６】
傾斜面７６は、Ｙ方向から見た場合に、接触部７４の台形の斜辺に相当する部位に形成されている。傾斜面７６は、Ｙ方向から見た場合に、Ｚ方向の下側が上側よりも桁梁２９に近付くように傾斜されている。また、傾斜面７６の長さは、一例として、傾斜面６２（図３参照）の長さよりも長い。このように、接触部７４は、第２立上部７２から桁梁２９に向けて張出されている。そして、接触部７４は、治具７０の載置状態において、端面２９Ｅと傾斜面７６とが接触することで、桁梁２９の第２立上部７２側への移動を規制するように構成されている。
【００７７】
ここで、治具７０を用いた屋根ユニット８０の輸送では、屋根ユニット８０の桁梁２９に引掛部４８を引掛けるだけで、荷台１８に屋根ユニット８０が載置されたときに、屋根ユニット８０に治具７０が取付けられる。これにより、桁梁２８と桁梁２９とをボルト及びナットを用いて連結する構成に比べて、屋根ユニット８０への治具７０の取付けを簡単に行うことができる。さらに、治具７０を用いた屋根ユニット８０の輸送では、輸送時に屋根ユニット８０が振動した場合に、桁梁２８及び桁梁２９のＸ方向の移動が第１立上部４４及び第２立上部７２により規制される。これにより、治具７０を用いた屋根ユニット８０の輸送では、既述の比較例に比べて、屋根ユニット８０の輸送時の変形を抑制することができる。
【００７８】
＜第２変形例＞
図１０には、第２変形例としての治具９０と、屋根ユニット２０とが示されている。なお、前記の実施形態と基本的に同一の部材、部位には、前記の実施形態と同一の符号を付与してその説明を省略する。治具９０は、建物用ユニット輸送治具の一例である。
【００７９】
治具９０は、載置部４２と、第１立上部４４と、第２立上部４６と、引掛部４８と、直立部９２とを有する。言い換えると、治具９０は、既述の治具４０（図３参照）に直立部９２が追加された構成とされている。
【００８０】
直立部９２は、一例として、載置部４２上に第１立上部４４とＸ方向に対向して直立している。具体的には、直立部９２は、載置部４２上において、第１立上部４４と共に桁梁２８をＸ方向に挟むことが可能となる位置に直立している。また、直立部９２は、載置部４２上にＹ方向に間隔をあけて複数設けられている。さらに、直立部９２は、Ｙ方向を厚さ方向とする板状とされており、Ｙ方向から見た場合に、Ｚ方向に上底、下底が並ぶ台形状に形成されている。直立部９２のＺ方向の高さは、第１立上部４４のＺ方向の高さよりも低い。
【００８１】
直立部９２の第１立上部４４とＸ方向に対向する部位には、桁梁２８の下フランジ２８Ｂの端面と接触する斜面９４が形成されている。斜面９４は、Ｙ方向から見た場合に、Ｚ方向の下側が上側よりも桁梁２８に近付くように傾斜されている。ここで、既述の載置状態において、斜面９４のＺ方向の下端部は、下フランジ２８Ｂの端面と接触している。
【００８２】
治具９０を用いた屋根ユニット２０の輸送では、治具４０（図３参照）を用いた場合の作用に加えて、さらに屋根ユニット２０の変形が抑制される。具体的には、輸送中に屋根ユニット２０に対してＸ方向の揺れが生じるなどして、桁梁２８が桁梁２９に向けて変位する状態になったとする。この状態で、接触部５８が桁梁２９のＸ方向の変位を規制する。さらに、直立部９２が、桁梁２８の桁梁２９に向かうＸ方向の変位を規制する。これらの作用により、桁梁２８と桁梁２９との間隔が輸送前の間隔に保持されるので、直立部９２が無い構成に比べて、屋根ユニット２０の変形をさらに抑制することができる。
【００８３】
＜他の変形例＞
桁梁２８、２９は、チャンネル鋼に限らず、Ｈ形鋼やＩ形鋼であってもよい。Ｈ形鋼やＩ形鋼の場合は、内側面、外側面として、下フランジ又は上フランジの端面を設定すればよい。
【００８４】
建物用ユニットは、屋根ユニット２０、８０に限らず、床ユニットであってもよい。また、建物用ユニットは、Ｚ方向からの平面視において構成部材が枠状に形成された構成であれば、屋根用や床用のユニットに限らない。
【００８５】
リブ５３、接触部５８の数は、３つに限らず、２つ又は４つ以上の複数であってもよい。また、リブ５３、接触部５８は、板状のものをＹ方向に間隔をあけて並べる構成に限らない。例えば、Ｙ方向に長尺とされた１つの部材で構成されていてもよい。
【００８６】
治具４０、７０、９０の各部の長さ及び高さは、既述の長さ及び高さに限らず、適用する建物用ユニットに合わせて変更してよい。また、使用する治具４０、７０、９０の数は、１つ及び複数のいずれであってもよい。
【００８７】
治具４０において、接触部５８を設けずに桁梁２９を第２立上部４６に接触させ、引掛部４８の縦壁部５１と第２立上部４６とで桁梁２９を挟む構成としてもよい。第１立上部４４は、リブ５３を有さずに板部５２に桁梁２８が接触する構成であってもよい。また、第１立上部４４は、接触面５６に換えて鉛直面又は曲面を有するものであってもよい。接触部５８は、傾斜面６２に換えて鉛直面又は曲面を有するものであってもよい。
【００８８】
第１立上部４４と外側面２８Ｄとは、直接、接触していなくても（対向するのみであっても）よい。換言すると、第１立上部４４と外側面２８Ｄとの間に他の部材が介在し、該他の部材が第１立上部４４と外側面２８Ｄとで挟まれる状態であってもよい。
【００８９】
縦壁部５１と外側面２９Ｄとは、直接、接触していなくても（対向するのみであっても）よい。換言すると、縦壁部５１と外側面２９Ｄとの間に他の部材が介在し、該他の部材が縦壁部５１と外側面２９Ｄとで挟まれる状態であってもよい。
【符号の説明】
【００９０】
１０  ユニット建物（建物の一例）
１６  車両（輸送手段の一例）
１８  荷台
２０  屋根ユニット（建物用ユニットの一例）
２８  桁梁（第１構成部材の一例）
２８Ｄ  外側面（第１外側面の一例）
２９  桁梁（第２構成部材の一例）
２９Ｄ  外側面（第２外側面の一例）
２９Ｅ  端面（内側面の一例）
３４  小梁（架設部材の一例）
４０  治具（建物用ユニット輸送治具の一例）
４２  載置部
４４  第１立上部
４６  第２立上部
４８  引掛部
５６  接触面
５８  接触部
６２  傾斜面
７０  治具（建物用ユニット輸送治具の一例）
８０  屋根ユニット（建物用ユニットの一例）
９０  治具（建物用ユニット輸送治具の一例）
【図１】
2019120025.tif 000003
【図２】
2019120025.tif 000004
【図３】
2019120025.tif 000005
【図４】
2019120025.tif 000006
【図５】
2019120025.tif 000007
【図６】
2019120025.tif 000008
【図７】
2019120025.tif 000009
【図８】
2019120025.tif 000010
【図９】
2019120025.tif 000011
【図１０】
2019120025.tif 000012